(57)【要約】  散布可能な流体を含む容器（１）が提供される。この容器はバルブ機構を有し、バルブ機構は外方に延びる柱（５）を有し、柱（５）はねじ山を備えた外側面を有する。バルブ機構は更に、柱の開口部（１１）を通過して延びる、又は開口部から延びる中空の片持ちステムを有する。バルブ機構は開閉の位置をとることができ、開位置は、ステムが流体を容器の外の位置に運ぶことを特徴とする。
2010517892.tif 000002
【特許請求の範囲】
【請求項１】
散布可能な流体を含む容器であって、バルブ機構を有し、前記バルブ機構は外方に延びる柱を有し、前記柱はねじ山を備えた外側面を有し、前記バルブ機構は更に、前記柱の開口部を通過して延びる、又は前記開口部から延びる中空の片持ちステムを有し、前記バルブ機構は開閉の位置をとることができ、前記開位置では、前記ステムが前記流体を前記容器の外の位置に運ぶよう導くことを特徴とする、容器。
【請求項２】
前記ステムが管を含む、請求項１に記載の容器。
【請求項３】
前記ステムは、前記容器が通常の使用中の位置にある際に一端が前記柱から上方へ突き出ている、請求項１又は請求項２に記載の容器。
【請求項４】
前記容器を閉める端部キャップを有し、前記柱が前記端部キャップと一体形成された部品である、請求項１、請求項２又は請求項３に記載の容器。
【請求項５】
前記端部キャップが前記柱の周りに延びる側壁を有する、請求項４に記載の容器。
【請求項６】
前記端部キャップが前記柱の周りで前記柱とほぼ同じ高さまで延びる側壁を有する、請求項５に記載の容器。
【請求項７】
前記バルブ機構に向けて流体を送るように構成されたほぼ片持ち状の浸漬管を有する、前述の請求項のうちいずれか１項に記載の容器。
【請求項８】
前記流体がエアロゾルスプレー材料を含む、前述の請求項のうちいずれか１項に記載の容器。
【請求項９】
スプレーディスペンサヘッドへの取り外し可能な取付に適するよう形成され、これにより、スプレー材料は前記容器内から前記スプレーディスペンサヘッドに移動でき、前記スプレーディスペンサヘッドによって制御されながら前記容器及び前記スプレーディスペンサヘッドの外の空気中に放出される、前述の請求項のうちいずれか１項に記載の容器。
【請求項１０】
請求項９に記載のスプレーディスペンサヘッドと併用される請求項１から請求項９のうちいずれか１項に記載の容器を含むスプレーディスペンサ。
【請求項１１】
添付の図面を参照しながら明細書中にほぼ説明した、散布可能な流体を含む容器。
【請求項１２】
添付の図面を参照しながら明細書中にほぼ説明した、スプレーヘッドと併用される散布可能な流体を含む容器。
【請求項１３】
加圧スプレー材料を含む容器であって、バルブ機構を有し、前記バルブ機構は外方に延びる柱を有し、前記柱はねじ山を備えた外側面を有し、前記バルブ機構は中空の片持ちステムを更に有し、前記ステムは前記柱の開口部を通過して延びるか又は開口部から延び、弾性のある座金によって密閉された出口開口部を有し、このような密閉は前記ステムに作用するスプリング圧の結果として保たれ、前記バルブ機構は、外圧が前記スプリングからの圧力にさからうように前記ステムにかかると開位置をとることができ、これによって前記ステムの前記開口部は前記座金から離れる方向に移動を強いられ、前記開口部が前記スプレー材料に対し開くようになり、前記ステムは前記スプレー材料を前記容器の外の位置に運ぶように導く、容器。
【請求項１４】
前記ステムが管を含む、請求項１３に記載の容器。
【請求項１５】
液体及び／又は気体の内容物を含む容器であって、一方の端部に取り付けられたバルブ機構を有し、前記バルブ機構は、柱をねじと組み合わせる金属製の取付カップと、一端が上方に突出する片持ち状の管とを有する、容器。
【発明の詳細な説明】
【技術分野】
【０００１】
本発明の好適な形態は、エアロゾルを保持する物質又は他の流体を空気中に送出する際に用いる容器に関する。本発明の特に好適な形態は、自動スプレーディスペンサに取り付けるよう構成されたエアロゾル缶に関する。
【背景技術】
【０００２】
スプレー材料を空気中に送出できるようスプレーヘッドに取付可能な缶にエアロゾルスプレー材料を収容することは公知である。缶とディスペンサとの間でのスプレー材料の移動を制御するためにバルブ（弁）が使用されている。
【発明の概要】
【発明が解決しようとする課題】
【０００３】
本発明の好適な実施の形態の目的は、公知の構成に代わる有用な手段を少なくとも世間に提供することである。
【０００４】
「含む」という用語又はその派生語は、この文書で使用される場合、例えば「（〜で）構成される又は（〜を）含む」を意味するように非排他的に解釈されるべきである。
【課題を解決するための手段】
【０００５】
本発明の１つの態様によると、散布可能な流体を含む容器が提供される。この容器はバルブ機構を有し、バルブ機構は外方に延びる柱（柱状部）を有し、柱はねじ山を備えた外側面を有する。バルブ機構は更に、柱の開口部を通過して延びる、又は開口部から延びる中空の片持ちステム（軸状部）を有する。バルブ機構は開閉の位置（配置）をとることができ、開位置（開配置）では、ステムが流体を容器の外の位置に流路を通して運ぶよう案内することを特徴とする。
【０００６】
ステムは管を含むことが好ましい。
【０００７】
ステムは、容器が通常の使用中の位置（配置）にあるときに一端が柱から上方へ突き出るよう支持されていることが好ましい。
【０００８】
容器は容器を閉める端部キャップを有し、柱は端部キャップと一体形成された部品であることが好ましい。
【０００９】
端部キャップは、柱の周りに延びる側壁を有することが好ましい。
【００１０】
端部キャップは、柱の周りで柱とほぼ同じ高さまで延びる側壁を有することが好ましい。
【００１１】
容器は、バルブ機構に向けて流体を送るように構成されたほぼ片持ち状の浸漬管を有することが好ましい。
【００１２】
流体はエアロゾルスプレー材料を含むことが好ましい。
【００１３】
容器は、スプレーディスペンサヘッドへの取り外し可能な取付に適するよう形成され、これにより、スプレー材料は容器内からスプレーディスペンサヘッドに移動でき、スプレーディスペンサヘッドによって制御されながら容器及びスプレーディスペンサヘッドの外の空気中に放出されることが好ましい。
【００１４】
必要に応じて、容器はスプレーディスペンサヘッドと併用される。
【００１５】
本発明の他の態様に従って、加圧スプレー材料を含む容器が提供される。この容器はバルブ機構を有し、バルブ機構は外方に延びる柱を有し、柱はねじ山を備えた外側面を有する。バルブ機構は中空の片持ちステムを更に有し、ステムは柱の開口部を通過して延びるか又は開口部から延び、弾性のある座金によって密閉された出口開口部を有する。このような密閉は、ステムに作用するスプリング圧の結果として保たれる。バルブ機構は、外圧がスプリングからの圧力にさからうようにステムにかかると開位置をとることができ、これによってステムの開口部は座金から離れる方向に移動を強いられ、この開口部がスプレー材料に通じるようになり、ステムはスプレー材料を容器の外の位置に運ぶ。
【００１６】
ステムは管を含むことが好ましい。
【００１７】
本発明の他の態様に従って、液体及び／又は気体の内容物を含む容器が提供される。この容器は、一方の端部に取り付けられたバルブ機構を有する。バルブ機構は、柱をねじと組み合わせる金属製の取付カップと、一端が上方に突出する片持ち状の管とを有する。
【００１８】
ここで、本発明のいくつかの好適な形態を一例として添付の図面を参照しながら説明する。
【図面の簡単な説明】
【００１９】
【図１】スプレーディスペンサの等角図である。
【図２】ディスペンサの一部を形成する缶の等角図である。
【図３】部分的に組み立てられた缶を示す等角図である。
【図４】缶の一部を形成する取付カップの上部を示す等角図である。
【図５】取付カップの裏面を示す等角図である。
【図６】取付カップに関連するバルブ機構を示す缶の断面図である。
【図７】開位置にあるときのバルブ機構を示す缶の更なる断面図である。
【図８】ディスペンサの一部を形成するスプレーヘッドの断面図である。
【図９】スプレーヘッドの底部等角図である。
【図１０】スプレーヘッドの別の底部等角図である。
【発明を実施するための形態】
【００２０】
図１を参照すると、ディスペンサは交換可能な金属製の缶１を含む。この缶はエアロゾルスプレー材料を含み、スプレーヘッド２に取り外し可能に嵌められる。スプレーヘッド２は、缶１から得られたスプレー材料の噴出を使用者によって調節された設定に従って放つことのできるタイプのものである。従って、使用者はスプレーヘッド２によって噴出の間隔や各噴出で放たれるスプレー材料の量を設定することができる。この点に関しては、当技術分野で公知のように、ディスペンサは自動的に作動し、電力を供給する電池と共に好適な電子機器をディスペンサヘッド内に有する。
【００２１】
図２を参照すると、缶１は金属製の取付カップ３を有し、この取付カップ３は缶の主要部をなす円筒状の本体部分４に圧着されており、即ち缶を閉じている。取付カップ３はねじ切りされた柱（柱状部）５を有し、これはスプレーヘッド２と取り外し可能な螺合の関係で係合するために用いられる。図３は、カップ３が主要本体部分４に圧着される前の缶１を示している。図４及び図５は、それぞれ上部及び下部からみたカップのみの細部を示している。カップの外側壁は柱５とほぼ同じ高さにあることがわかる。本発明のいくつかの実施の形態では、側壁を柱よりも大幅に高くすることができる。
【００２２】
図６を参照すると、カップ３はバルブ６に取り付けられているか又はこれと一体的に形成されており、バルブ６は移動可能な中央部７、ゴムの座金８、スプリング（ばね）９及び上部管１０を有する。バルブ６は、管１０がカップ３の中央開口部１１を通過して一端が中央開口部１１から上方に飛び出すようカップ３内に圧着される。座金８、スプリング９及びバルブ６の下部１２は、カップの中央開口部１１の反対側又は下方にとどまっている。バルブ６が閉位置にあるとき、座金８は管１０の下部に位置する開口部１３の周りに配置され、この開口部１３を封鎖する。バルブの中央部７に作用するスプリング９からの上方向の力により、開口部１１はこの状態を維持している。あるいは、バルブ６が閉位置にあるとき、開口部１１はスプリング９の張力によって座金８の上方に保たれ、スプレー流体は開口部１１に達することができない。
【００２３】
図７を参照すると、スプレーヘッド２が缶１に嵌められると、スプレーヘッドは上部管１０を押し下げ、スプリング９によってかかる上方向の力に対抗する。このことによってバルブの中央部７全体が押し下げられ、開口部１３は座金８の下に下がる。開口部１３がこの位置にあるときバルブは開いており、缶の中のエアロゾルスプレー流体は、浸漬管１４を通って上に流れ、バルブの中央部７の下の空間１５に入り、この中央部の周りを上方向に流れて開口部１３の周りの空間１６に入り、開口部１３を通って管１０に入り、そしてディスペンサヘッド２に入り、制御されながらディスペンサの外の空気中へ放出されることが可能になる。
【００２４】
スプレーヘッド２のいくつかの重要な特徴が図８に断面図で概略的に示されている。図９及び図１０は、スプレーヘッド２を下側から斜視図で示している。図８にみられるように、スプレーヘッド２はねじ切りされた側壁１８を備えた主要な凹部１７を有し、缶の柱５のねじ山を螺合の関係で収容する。主要凹部１７は、バルブ６の上部管１０を収容するさらに狭い凹部１９に通じている。より具体的にいうと、管１０の一端が缶１の残りの部分から突き出て狭い凹部１９に入り、密閉ガスケット２０を通過している。狭い導管２１が凹部１９から上方に進んでおり、エアロゾルスプレー材料が缶１から放出された後にエアロゾルスプレー材料を外の空気に向けて送る。管１０は使い捨て缶１の一部を形成しているため、缶１をスプレーヘッド２に嵌める際に管１０が曲がるなど損傷してもさほど重大ではない。一般により高価なディスペンサスプレーヘッドから下に進む狭い管に依存する構成の場合はそうはいかないであろう。
【００２５】
スプレーヘッド２はエアロゾルスプレー材料の噴出を所定の間隔で放出するためだけに形成されているため、缶１は早くに又は不必要に消耗することはない。缶１がスプレーヘッド２に嵌められると、スプレーヘッド２から管１０にかかる圧力のためにバルブ６は永久に開いた状態になる。しかし、前述のように、スプレー材料のディスペンサからの移動はスプレーヘッド２によって抑制され、制御される。容器１がスプレーヘッドから取り外されるとバルブ６は自動的に閉じる。このことはスプリング９からの張力によって達成される。
【００２６】
高圧ガス及び液体を含むエアロゾルスプレー材料との関連で本発明の好適な形態を述べたが、例えばガスのみの散布など他のタイプの流体の場合にも同一の発明概念を適用することができる。よって、流体という用語は液体、気体又はこれらの組み合わせを指すことができる。
【００２７】
随意であるが、柱５に用いられるねじ山は７／１６ＵＮＥＦねじ山である。本発明のいくつかの実施の形態ではＡＣＭＥねじ山を用いてもよい。所望の最終用途により、管１０は図面に示されるもの以外にもその相対的高さにまで及ぶように形成可能である。
【００２８】
本発明の好適な形態を例としていくつか説明したが、下記の請求の範囲から逸脱することなく変更及び改良が生じうることを理解されたい。
【図１】
2010517892.tif 000003
【図２】
2010517892.tif 000004
【図３】
2010517892.tif 000005
【図４】
2010517892.tif 000006
【図５】
2010517892.tif 000007
【図６】
2010517892.tif 000008
【図７】
2010517892.tif 000009
【図８】
2010517892.tif 000010
【図９】
2010517892.tif 000011
【図１０】
2010517892.tif 000012
【国際調査報告】
2010517892.tif 000013
2010517892.tif 000014
2010517892.tif 000015